(57)【要約】    【課題】例えば照明体として室内に設置した場合に室内の照度分布に偏りが生じないエッジライト型面発光装置を、提供すること。      【解決手段】エッジライト型面発光装置において、導光板の出光面の中央点を原点として、原点から出光面に対する垂線方向を０°とし、原点から光源が配置された一端面への方向及び他端面への方向をそれぞれ９０°及び−９０°とした場合において、出光面からの出射光の、光量の角度分布が、  （ｉ）最大光量を示すピークが単峰性であり、  （ii）前記ピークの角度をθとした場合に、−２０°≦θ≦２０°であり、  （iii）前記ピークの光量を１００％とした場合において、「θ＋２０°」の角度での光量と「θ−２０°」の角度での光量との差が、２０％以内であり、  （iv）前記ピークの光量を１００％とした場合において、「θ＋６０°」での光量、及び、「θ−６０°」での光量が、それぞれ３０％以上７０％以下である。【選択図】図１
2013206813.tif 000002
【特許請求の範囲】
【請求項１】
平面視矩形の樹脂製の導光板と、
前記導光板の少なくとも一端面に沿って配置された光源と、
少なくとも前記光源及び前記導光板を囲んで支持するハウジング体と、を少なくとも備えており、
前記光源の光が前記導光板の前記一端面から入射して前記導光板内で反射し、前記導光板の出光面から出射するようになっている、エッジライト型面発光装置において、
前記導光板の前記出光面に、プリズムシートが配置されており、
前記プリズムシートは、プリズム形状を備えたプリズム面と、プリズム形状を備えていない非プリズム面と、を有し、前記非プリズム面が前記出光面に接するように、配置されており、
更に、前記プリズムシートの前記プリズム面に、光拡散シートが配置されており、
前記プリズムシート及び前記光拡散シートは、前記導光板と共に、前記ハウジング体によって支持されており、
前記導光板の前記出光面の中央点を原点として、前記原点から前記出光面に対する垂線方向を０°とし、前記原点から前記光源が配置された前記一端面への方向を９０°とし、且つ、前記原点から前記一端面に対向する他端面への方向を−９０°とした場合において、
前記プリズムシート及び前記光拡散シートを通過した、前記出光面からの出射光の、光量の角度分布が、次の特性（ｉ）〜（iv）を有していることを特徴とするエッジライト型面発光装置。
（ｉ）最大光量を示すピークが単峰性であり、
（ii）前記ピークの角度をθとした場合に、−２０°≦θ≦２０°であり、
（iii）前記ピークの光量を１００％とした場合において、「θ＋２０°」の角度での光量と「θ−２０°」の角度での光量との差が、２０％以内であり、
（iv）前記ピークの光量を１００％とした場合において、「θ＋６０°」での光量、及び、「θ−６０°」での光量が、それぞれ３０％以上７０％以下である。
【請求項２】
前記プリズムシートの前記プリズム形状が、９０°以上１２０°以下のプリズム角を有し、且つ、１００μｍ以下のプリズムピッチを有している、
請求項１記載のエッジライト型面発光装置。
【請求項３】
前記光拡散シートが、８０％以上の全光線透過率を有し、且つ、１０％以上３０％以下の拡散率を有している、
請求項１又は２に記載のエッジライト型面発光装置。
【請求項４】
前記光源が、前記導光板の対向する２つの端面に、配置されている、
請求項１〜３のいずれか１つに記載のエッジライト型面発光装置。
【発明の詳細な説明】
【技術分野】
【０００１】
本発明は、エッジライト型面発光装置に関するものである。この面発光装置は、オフィス等の屋内、新幹線等の車両内等、及び冷蔵庫内等で、使用される照明体；液晶ディスプレイに使用されるバックライトユニット；看板等に、有用である。
【背景技術】
【０００２】
エッジライト型面発光装置は、一般に、光源と、光源から入射した光を面発光させるための導光板と、光源及び導光板を囲んで支持するハウジング体と、を少なくとも備えている。導光板としては、（メタ）アクリル樹脂等の樹脂製の板が代表的に使用されている。
【０００３】
エッジライト型面発光装置としては、導光板の４つの端面に光源を配置した「４面入光型」、導光板の対向する２つの端面に光源を配置した「２面入光型」、及び、導光板の１つの端面のみに光源を配置した「１面入光型」が、知られている。近年では、光源として特に使用される発光ダイオード（ＬＥＤ）が高輝度化していること、及び、部材数の削減やコスト低減が強く要望されていること等から、「４面入光型」は減少してきており、「２面入光型」又は「１面入光型」が増えてきている。
【先行技術文献】
【特許文献】
【０００４】
【特許文献１】特開平７−３６０３７号公報
【特許文献２】特開平６−１８８７９号公報
【特許文献３】特開２０００−１１７２８号公報
【発明の概要】
【発明が解決しようとする課題】
【０００５】
しかしながら、「１面入光型」では、光源が導光板の１つの端面のみに配置されているため、導光板の出光面からの出射光の光量の角度分布が大きく偏っている。そのため、面発光装置を例えば照明体として室内に設置した場合には、室内の照度分布に偏りが生じてしまうという不具合があった。
【０００６】
「２面入光型」では、光源が導光板の対向する２つの端面に配置されているため、その２つの端面を左右に位置させて出光面を正面から見た場合において、出光面からの出射光の光量の角度分布が、左右方向では偏ってはいないが、正面方向では光量の低下を生じている。そのため、面発光装置を例えば照明体として室内に設置した場合には、室内の照度分布に偏りが生じてしまうという不具合があった。
【０００７】
本発明は、前記不具合を解消することができるエッジライト型面発光装置を提供することを目的とする。
【課題を解決するための手段】
【０００８】
本発明は、平面視矩形の樹脂製の導光板と、前記導光板の少なくとも一端面に沿って配置された光源と、少なくとも前記光源及び前記導光板を囲んで支持するハウジング体と、を少なくとも備えており、前記光源の光が前記導光板の前記一端面から入射して前記導光板内で反射し、前記導光板の出光面から出射するようになっている、エッジライト型面発光装置において、前記導光板の前記出光面に、プリズムシートが配置されており、前記プリズムシートは、プリズム形状を備えたプリズム面と、プリズム形状を備えていない非プリズム面と、を有し、前記非プリズム面が前記出光面に接するように、配置されており、更に、前記プリズムシートの前記プリズム面に、光拡散シートが配置されており、前記プリズムシート及び前記光拡散シートは、前記導光板と共に、前記ハウジング体によって支持されており、前記導光板の前記出光面の中央点を原点として、前記原点から前記出光面に対する垂線方向を０°とし、前記原点から前記光源が配置された前記一端面への方向を９０°とし、且つ、前記原点から前記一端面に対向する他端面への方向を−９０°とした場合において、前記プリズムシート及び前記光拡散シートを通過した、前記出光面からの出射光の、光量の角度分布が、次の特性（ｉ）〜（iv）を有していることを特徴とするエッジライト型面発光装置。
（ｉ）最大光量を示すピークが単峰性であり、
（ii）前記ピークの角度をθとした場合に、−２０°≦θ≦２０°であり、
（iii）前記ピークの光量を１００％とした場合において、「θ＋２０°」の角度での光量と「θ−２０°」の角度での光量との差が、２０％以内であり、
（iv）前記ピークの光量を１００％とした場合において、「θ＋６０°」での光量、及び、「θ−６０°」での光量が、それぞれ３０％以上７０％以下である。
【０００９】
本発明は、更に、次の構成（ａ）〜（ｃ）を採用するのが好ましい。
【００１０】
（ａ）プリズムシートのプリズム形状が、９０°以上１２０°以下のプリズム角を有し、且つ、１００μｍ以下のプリズムピッチを有している。
【００１１】
なお、プリズムシートは、１．５以上の屈折率を有する材料で構成されるのが好ましい。これによれば、導光板からの出射光を、正面方向に効率良く屈折させることができる。また、プリズムシートは、１種類の材料で構成された単層構造を有してもよく、又は、プリズム面を有する層と非プリズム面を有する層とが別の材料で構成された積層構造を、有してもよい。
【００１２】
（ｂ）光拡散シートが、８０％以上の全光線透過率を有し、且つ、１０％以上３０％以下の拡散率を有している。
【００１３】
なお、光拡散シートは、例えば次の方法で得ることができるが、他の方法で得てもよい。
・透光性樹脂に光拡散剤を添加して、シートを成形する。
・透光性樹脂シートの表面に光拡散剤を塗工する。
【００１４】
（ｃ）光源が、導光板の対向する２つの端面に、配置されている。
【発明の効果】
【００１５】
本発明によれば、導光板の出光面からの出射光の光量の角度分布の偏りを抑制できるので、例えば照明体として使用した場合において、室内の照度分布の偏りを改善できる。
【００１６】
特に、本発明によれば、前記特性（ｉ）〜（iv）を有しているので、導光板の出光面の正面方向に対して傾いた角度における照度を確保しながら、正面方向の照度を向上できる。
【図面の簡単な説明】
【００１７】
【図１】本発明の一実施形態のエッジライト型面発光装置の断面図である。
【図２】図１の面発光装置の分解斜視図である。
【図３】図１の一部拡大図である。
【図４】光量の角度分布を説明するための図である。
【図５】光量の角度分布の一例を示す図である。
【図６】光量の角度分布の別の例を示す図である。
【図７】光量の角度分布の更に別の例を示す図である。
【図８】本発明の別の実施形態のエッジライト型面発光装置の断面図である。
【図９】図８の面発光装置の分解斜視図である。
【図１０】図８の一部拡大図である。
【発明を実施するための形態】
【００１８】
［第１実施形態］
図１は、本発明の一実施形態のエッジライト型面発光装置の断面図である。このエッジライト型面発光装置１は、導光板２と、光源３と、ハウジング体４と、を少なくとも備えている。図２は、図１の面発光装置の分解斜視図である。なお、図２では、ハウジング体４は省略している。
【００１９】
導光板２は、平面視矩形の板である。光源３は、導光板２の１つの端面２Ａに沿って複数個配置されている。光源３は、端面２Ａに対向する基板３０に、端面２Ａに向かって、固定されている。光源３としては、ＬＥＤ、蛍光灯、冷陰極管等を、使用でき、特にＬＥＤを好ましく使用できる。
【００２０】
導光板２は、樹脂を主成分としてできている。樹脂としては、例えば、（メタ）アクリル樹脂、ポリスチレン樹脂、ポリオレフィン樹脂、ポリカーボネート樹脂、ポリ塩化ビニル樹脂、及び（メタ）アクリル酸エステル−スチレン樹脂からなる群から選択される、少なくとも１種が好ましく、特に（メタ）アクリル樹脂が好ましい。これらの樹脂は、２種以上を混合して使用してもよく、又は、２種以上を積層するように使用してもよい。導光板２の厚さは、通常は１〜１０ｍｍであり、好ましくは１．５〜８ｍｍであり、より好ましくは２〜５ｍｍである。導光板２は、薄すぎる場合には、光源３からの光が導光板２の端面に入射しにくくなることがあり、厚すぎる場合には、発光効率が不十分となることがあり、また、面発光装置全体の重量が重くなるので、薄すぎても厚すぎても好ましくない。
【００２１】
導光板２の反射面２Ｗ表面には、乱反射層２１が形成されている。乱反射層２１は、反射面２Ｗに対して、レーザーによって直接加工を施したり、インクをスクリーン印刷又は蒸着したり、又は、インクジェット印刷したりすることによって、形成されている。乱反射層２１は、輝度ムラを調整するために、ドット状に形成するのが好ましい。ドットの形態としては、例えば、略円形、略三角形、略四角形、略六角形等が、好ましい。乱反射層２１をドット状に形成する方法としては、（１）ドットに対応する部分に対して、凹凸加工を施したりインク等を付着させたりする方法と、（２）ドット以外の地の部分に対して、凹凸加工を施したりインク等を付着させたりする方法とがある。（１）の方法を「ポジパターン」と言い、（２）の方法を「ネガパターン」と言う。ドットの分布密度すなわち乱反射層２１の形成密度は、光源３から遠ざかるに従って次第に密になるように、設定されている。
【００２２】
乱反射層２１表面には、反射シート２２が設置されている。反射シート２２の厚さは、通常は５０〜４００μｍである。反射シート２２としては、例えば、白色ポリエステル製の低発泡フィルム、及び、ガラス又はプラスチックからなるフィルムに反射率の高い金属を蒸着させたもの等を、使用できる。
【００２３】
導光板２の出光面２Ｘ表面には、プリズムシート６が配置されている。プリズムシート６は、図３に示されるように、プリズム形状を備えたプリズム面６Ｘと、プリズム形状を備えていない非プリズム面６Ｗと、を有している。プリズムシート６は、非プリズム面６Ｗが出光面２Ｘ表面に接するように、配置されている。
【００２４】
プリズムシート６は、樹脂を主成分としてできている。その樹脂としては、例えば、（メタ）アクリル樹脂、ポリスチレン樹脂、ポリカーボネート樹脂、ポリエチレンテレフタレート樹脂、ポリエチレンナフタレート樹脂、（メタ）アクリル酸エステル−スチレン樹脂等を、使用できる。
【００２５】
プリズムシート６は、１種類の樹脂で構成された単層構造を有してもよく、又は、プリズム面を有する層と非プリズム面を有する層とが別の樹脂で構成された積層構造を、有してもよい。また、プリズムシート６は、光拡散剤が添加された樹脂で構成してもよい。光拡散剤としては、後述の光拡散シート７に含むことができる光拡散剤として例示されたものを、使用できる。
【００２６】
プリズムシート６の厚さは、通常は５０〜５００μｍ程度であり、好ましくは１００〜３００μｍである。プリズムシート６は、薄すぎる場合には、シート自身に皺や折れが発生しやすくなり、厚すぎる場合には、装置全体の重量が重くなるとともに装置全体の厚みが厚くなるので、薄すぎても厚すぎても好ましくない。
【００２７】
プリズムシート６のプリズム形状は、９０°以上１２０°以下のプリズム角αを有し、且つ、１００μｍ以下のプリズムピッチＰを有するのが、好ましく、更に、プリズムシート６は、１．５以上の屈折率を有する材料で構成されるのが、好ましい。これによれば、導光板２からの出射光を、プリズム面６Ｘに対する正面方向に効率良く屈折させることができる。
【００２８】
プリズムシート６のプリズム面６Ｘ表面には、光拡散シート７が配置されている。光拡散シート７は、光拡散機能又は集光機能のいずれか一方又は両方を有している。
【００２９】
光拡散シート７は、８０％以上の全光線透過率を有し、且つ、１０％以上３０％以下の拡散率を有しているのが、好ましい。全光線透過率が８０％未満であり且つ拡散率が３０％を越えている場合には、装置からの出射光は非常に均一ではあるが、光のロスが大きくなる。逆に、全光線透過率が８０％未満であり且つ拡散率が１０％未満である場合には、装置の正面方向に対して傾いた角度の照度が高くなり、装置の正面方向の照度を十分に確保できない恐れがある。
【００３０】
光拡散シート７の厚さは、通常は５００μｍ〜５ｍｍであり、より好ましくは１．５〜３ｍｍである。光拡散シート７は、薄すぎる場合には、装置全体が歪んだ際にシートに皺や折れが発生し、厚すぎる場合には、装置全体の重量が重くなるので、薄すぎても厚すぎても好ましくない。
【００３１】
光拡散シート７は、光拡散剤を含有する樹脂組成物からなるシート、樹脂組成物からなり且つ表面に光拡散剤が塗工されたシート、樹脂組成物からなり且つ表面に凹凸形状が施されたシート、又は、光拡散剤を含有する樹脂組成物からなり且つ表面に凹凸形状が施されたシートである。光拡散シート７を構成する樹脂としては、例えば、（メタ）アクリル樹脂、ポリスチレン樹脂、ポリオレフィン樹脂、ポリカーボネート樹脂、ポリ塩化ビニル樹脂、及び（メタ）アクリル酸エステル−スチレン樹脂からなる群から選択される、少なくとも１種が好ましく、特に（メタ）アクリル樹脂が好ましい。これらの樹脂は、２種以上を混合して使用してもよく、又は、２種以上を積層するように使用してもよい。光拡散シート７に含むことができる光拡散剤としては、アクリル系架橋ビーズ、（メタ）アクリル酸メチル−スチレン共重合体系（ＭＳ系）架橋ビーズ等の、有機系微粒子、及び、シリカ、酸化チタン、硫酸バリウム等の、無機系微粒子を、使用でき、これらは２種以上を同時に使用してもよい。特に有機系微粒子が好ましい。
【００３２】
なお、光拡散シート７の出光側の表面７Ｘは、マット形状を有しているのが好ましく、更には、４０％未満の光沢度を有しているのが好ましい。これによれば、表面７Ｘへの風景の映り込みを防止することができ、また、表面７Ｘに付着した指紋の隠蔽性を向上ができる。
【００３３】
更に、光拡散シート７の表面７Ｘは、光拡散シート７の皺の発生を抑制するために、平面視矩形のクリア保護板（図示せず）で覆われるのが好ましい。
【００３４】
ハウジング体４は、導光板２を反射面２Ｗ側から覆う本体面部４１と、本体面部４１の４辺から、導光板２の周縁部を覆うように延びた、４つの側面部と、各側面部の下縁から内向きに延びた、４つの縁面部と、からなっている。図１では、２つの側面部４２１、４２３及び２つの縁面部４３１、４３３のみが、示されている。そして、ハウジング体４は、乱反射層２１及び反射シート２２を有する導光板２と、プリズムシート６と、光拡散シート７と、光源３と、を囲んで支持している。
【００３５】
そして、面発光装置１においては、図４に示されるように、導光板２の出光面２Ｘの中央点を原点Ｇとして、原点Ｇから出光面２Ｘに対する垂線方向Ｑを０°とし、原点Ｇから光源３が配置された端面２Ａへの方向Ｓ１を９０°とし、且つ、原点Ｇから端面２Ａに対向する端面２Ｂへの方向Ｓ２を−９０°とした場合において、プリズムシート６及び光拡散シート７を通過した、出光面２Ｘからの出射光の、光量の角度分布が、次の特性（ｉ）〜（iv）を有している。
（ｉ）最大光量を示すピークが単峰性であり、
（ii）前記ピークの角度をθとした場合に、−２０°≦θ≦２０°であり、
（iii）前記ピークの光量を１００％とした場合において、「θ＋２０°」の角度での光量と「θ−２０°」の角度での光量との差が、２０％以内であり、
（iv）前記ピークの光量を１００％とした場合において、「θ＋６０°」での光量、及び、「θ−６０°」での光量が、それぞれ３０％以上７０％以下である。
【００３６】
前記特性（ｉ）〜（iv）は、例えば、図５〜図７のように示される。
・図５においては、最大光量を示すピークが単峰性であり且つそのピークの角度θが０°である。また、「θ＋２０°」の角度での光量と「θ−２０°」の角度での光量とが、共に略９５％であり、両者の差は、略０％すなわち２０％以内である。また、「θ＋６０°」での光量と「θ−６０°」での光量とが、共に略４３％であり、すなわちそれぞれ３０％以上７０％以下である。
・図６においては、最大光量ピークが単峰性であり且つそのピークの角度θが２０°である。また、「θ＋２０°」の角度での光量と「θ−２０°」の角度での光量とが、共に略９５％であり、両者の差は、略０％すなわち２０％以内である。また、「θ＋６０°」での光量が略３５％であり、「θ−６０°」での光量が略４７％であり、すなわちそれぞれ３０％以上７０％以下である。
・図７においては、最大光量ピークが単峰性であり且つそのピークの角度θが−２０°である。また、「θ＋２０°」の角度での光量が略９３％であり、「θ−２０°」の角度での光量が略９６％であり、両者の差は、略３％すなわち２０％以内である。また、「θ＋６０°」での光量が略４０％であり、「θ−６０°」での光量が略５０％であり、すなわちそれぞれ３０％以上７０％以下である。
【００３７】
前記構成の面発光装置１によれば、導光板２の出光面２Ｘからの出射光の光量の角度分布の偏りを抑制でき、したがって、例えば照明体として使用した場合において、室内の照度分布の偏りを改善できる。
【００３８】
特に、本発明によれば、前記特性（ｉ）〜（iv）を有しているので、導光板２の出光面２Ｘの正面方向Ｆに対して傾いた角度における照度を確保しながら、正面方向Ｆの照度を向上できる。
【００３９】
［別の実施形態］
前記実施形態は、導光板２の端面２Ａ側のみに光源３を有しているので、「１面入光型」である。しかるに、本発明は、図８に示されるように、導光板２の端面２Ａ側だけでなく、端面２Ａに対向する端面２Ｂ側にも、光源３を有する、「２面入光型」にも、同様に適用でき、「１面入光型」の場合と同様の効果を発揮できる。図８は、「２面入光型」の面発光装置１の断面図であり、図９は、図８の装置１の分解斜視図である。図８及び図９において、図１及び図２と同じ符号は、同じ又は相当する構成要素を示している。
【実施例】
【００４０】
（実施例１）
図１の構成を有する面発光装置１である。各部の具体的構成は、次の通りである。
・導光板２…住友化学株式会社の製品名「スミペックスＥ００５」の（メタ）アクリル樹脂板を用いた。寸法は、厚さが３ｍｍ、幅が３００ｍｍ、長さが１５０ｍｍである。なお、「スミペックス」は住友化学株式会社の登録商標である。
・乱反射層２１…スクリーン印刷法によって反射率の高いインクを印刷することにより、形成した。インクは、揮発硬化型樹脂インク、アクリルビーズ、シリカ微粒子、及び蛍光体からなっている。印刷パターンは、ポジパターンであり、ドットの形状は、略円形であり、ドットのピッチ（中心間距離）は、一定である。インクは、出光面の輝度が略均一になるように、単位面積当たりの印刷密度が、光源付近では小さく、光源から遠ざかるに従って大きくなるように、設定された。
・反射シート２２…東レ株式会社製の製品名「Ｅ６０」を用いた。
・プリズムシート６…五洋紙工株式会社製の製品名「ＧＴＬ５０００」を用いた。厚さは２５０μｍである。プリズム角は１００°である。プリズムピッチは５０μｍである。非プリズム面６Ｗが導光板２に接するように、且つ、プリズム列が導光板２の端面２Ａに対して平行となるように、配置された。
・光拡散シート７…住友化学株式会社製の製品名「スミペックスＥＭ０９０」を用いた。全光線透過率は８５％であり、拡散率は１２％であり、厚さは１．５μｍである。
・光源３…日亜化学工業（株）製のＬＥＤを用いた。導光板２の端面２Ａに沿って配置した。基板３０に、等間隔で、４２個固定した。
【００４１】
（実施例２）
光拡散シート７として、住友化学株式会社製「スミペックスＭＴ０３７」を用いた。その光拡散シート７は、全光線透過率が８７％であり、拡散率が２０％であり、厚さが２μｍである。その他は、実施例１と同じである。
【００４２】
（実施例３）
光拡散シート７として、住友化学株式会社製「スミペックスＷＴ０２３」を用いた。その光拡散シート７は、全光線透過率が８５％であり、拡散率が２９％であり、厚さが２μｍである。その他は、実施例１と同じである。
【００４３】
（実施例４）
図８の構成を有する面発光装置１であり、次の点のみが実施例１とは異なっている。
・乱反射層２１…インクは、出光面の輝度が略均一になるように、単位面積当たりの印刷密度が、光源付近では小さく、導光板２の中央に向かうに従って大きくなるように、設定された。その他は実施例１と同じである。
・光源３…導光板２の端面２Ａ、Ｂのそれぞれに沿って配置した。その他は実施例１と同じである。
【００４４】
（実施例５）
光拡散シート７として、住友化学株式会社製「スミペックスＷＴ０２３」を用いた。その光拡散シート７は、全光線透過率が８５％であり、拡散率が２９％であり、厚さが２μｍである。その他は、実施例４と同じである。
【００４５】
（比較例１）
光拡散シート７を用いなかった。その他は、実施例１と同じである。
【００４６】
（比較例２）
プリズムシート６を、プリズム面６Ｘが導光板２の出光面２Ｘに接するように、配置した。その他は、比較例１と同じである。
【００４７】
（比較例３）
プリズムシート６のプリズム面６Ｘ表面に、図１０に示されるように、更に、プリズムシート６Ａを設置した。その他は、比較例１と同じである。
【００４８】
プリズムシート６Ａとしては、五洋紙工株式会社製の製品名「ＧＴＬ５０００」を用いた。プリズムシート６Ａの厚さは、２５０μｍである。プリズムシート６Ａは、非プリズム面６ＡＸがプリズムシート６のプリズム面６Ｘに接するように、また、プリズム列が導光板２の端面２Ａに平行になるように、配置した。
【００４９】
（比較例４）
光拡散シート７として、住友化学株式会社製「スミペックスＭＴ００７」を用いた。その光拡散シート７は、全光線透過率が９２％であり、拡散率が０％であり、厚さが２μｍである。その他は、実施例１と同じである。
【００５０】
（比較例５）
光拡散シート７として、住友化学株式会社製「スミペックスＷＴ０２７」を用いた。その光拡散シート７は、全光線透過率が８９％であり、拡散率が０％であり、厚さが２μｍである。その他は、実施例１と同じである。
【００５１】
［比較例６］
光拡散シート７として、住友化学株式会社製「スミペックスＳｘ０３２」を用いた。その光拡散シート７は、全光線透過率が５８％であり、拡散率が８０％であり、厚さが２μｍである。その他は、実施例１と同じである。
【００５２】
（比較例７）
光拡散シート７として、住友化学株式会社製「スミペックスＭＴ０３９」を用いた。その光拡散シート７は、全光線透過率が５８％であり、拡散率が７８％であり、厚さが２μｍである。その他は、実施例１と同じである。
【００５３】
（比較例８）
光拡散シート７として、住友化学株式会社製「スミペックスＭＴ００７」を用いた。その光拡散シート７は、全光線透過率が９２％であり、拡散率が０％であり、厚さが２μｍである。その他は、実施例４と同じである。
【００５４】
（比較例９）
光拡散シート７として、住友化学株式会社製「スミペックスＳｘ０３２」を用いた。その光拡散シート７は、全光線透過率が５８％であり、拡散率が８０％であり、厚さが２μｍである。その他は、実施例４と同じである。
【００５５】
［性能試験］
配光分布測定を行った。すなわち、実施例１〜５及び比較例１〜９の面発光装置を、自動変角光度計（製品名「ゴニオフォトメーターＧＰ−２００」、株式会社村上色彩技術研究所製）内の中央部に固定し、点灯させた。そして、導光板の出光面の中央点から出光面に対する垂線方向を０゜（すなわち面発光装置の正面方向）とし、光源が配置された導光板の端面（すなわち１面入光型面発光装置における光源配置側端面）の中央点から該端面に対する垂線方向を９０゜とし、導光板の光源配置側端面に対向する端面（すなわち１面入光型面発光装置における光源非配置側端面）の中央点から該端面に対する垂線方向を−９０゜として、自動変角光度計の受光器を９０゜〜−９０゜の範囲で回転させ、導光板の出光面からの出射光の角度分布を測定した。その結果を、表１に示す。
【００５６】
【表１】
2013206813.tif 000003
【産業上の利用可能性】
【００５７】
本発明のエッジライト型面発光装置は、例えば照明体として室内に設置した場合に、室内の照度分布に偏りが生じないので、産業上の利用価値が大である。
【符号の説明】
【００５８】
１  エッジライト型面発光装置  ２  導光板  ２Ａ、２Ｂ  端面  ２Ｘ  出光面  ３  光源  ４  ハウジング体  ６  プリズムシート  ６Ｘ  プリズム面  ６Ｗ  非プリズム面  ７  光拡散シート
【図１】
2013206813.tif 000004
【図２】
2013206813.tif 000005
【図３】
2013206813.tif 000006
【図４】
2013206813.tif 000007
【図５】
2013206813.tif 000008
【図６】
2013206813.tif 000009
【図７】
2013206813.tif 000010
【図８】
2013206813.tif 000011
【図９】
2013206813.tif 000012
【図１０】
2013206813.tif 000013